(57)【要約】      （修正有）【課題】片手で筒状ビニールの様な紐状または筒状のアイテムに結び目を作ることが可能な結束装置、及び、改善された廃棄物貯蔵装置の提供【解決手段】紐状または筒状のアイテムを結ぶために紐状または筒状のアイテムを保持する結束装置４であって、切込み部７が間に設けられた二つのピン状部分５、６を備える結束装置。さらに、筒状ビニールを有するカセット用の環状ホルダを備え、且つ、結束装置４を少なくとも一つ備える廃棄物貯蔵装置【選択図】図４
2017190246.tif 000002
【特許請求の範囲】
【請求項１】
紐状または筒状のアイテム（１５）を結ぶために前記紐状または筒状のアイテムを保持する結束装置（４）であって、
切込み部（７）が間に設けられた二つのピン状部分（５、６）を備えることを特徴とする、結束装置。
【請求項２】
前記二つのピン状部分（５、６）の軸間の距離は、前記二つのピン状部分（５、６）の端部に向かって増加し、開口された前記二つのピン状部分（５、６）の領域において測定される前記軸間の角度（α）は６０°以下であることを特徴とする、請求項１に記載の結束装置（４）。
【請求項３】
前記二つのピン状部分（５、６）の軸は略平行であり、前記二つのピン状部分（５、６）の端部は基本的に同じ方向を向いていることを特徴とする、請求項１に記載の結束装置（４）。
【請求項４】
前記切込み部（７）はＶ字形状を有し、前記二つのピン状部分（５、６）の前記端部に向かって広がっていることを特徴とする、請求項１から３のいずれか１項に記載の結束装置（４）。
【請求項５】
前記切込み部（７）に配置される刃（８）を有することを特徴とする、請求項１から４のいずれか１項に記載の結束装置（４）。
【請求項６】
前記ピン状部分（６）の自由端部から離れた位置に配置されるストッパ（９）を有することを特徴とする、請求項１から５のいずれか１項に記載の結束装置（４）。
【請求項７】
前記ピン状部分（５、６）上、および前記ピン状部分に沿って設けられる窪み（１２）を有することを特徴とする、請求項１から６のいずれか１項に記載の結束装置（４）。
【請求項８】
廃棄物貯蔵装置（１）であって、筒状ビニール（１５）を有するカセット（３）用の環状ホルダ（２）を備え、請求項１から７のいずれか１項に記載の結束装置（４）を少なくとも一つ備えることを特徴とする、廃棄物貯蔵装置（１）。
【請求項９】
ａ）  少なくとも一つの前記結束装置または少なくとも一つの前記一体型の結束／切断装置（４）を任意に取り付ける複数の取付位置（Ａ１〜Ａ３）、または、
ｂ）  前記廃棄物貯蔵装置（１）の恒久的な部分であり、異なる位置に配置される、複数の結束装置または複数の一体型の結束／切断装置（４）、を有することを特徴とする、請求項８に記載の廃棄物貯蔵装置（１）。
【請求項１０】
前記結束装置または一体型の結束／切断装置（４）と対応するそれぞれの前記取付位置（Ａ１〜Ａ３）が、前記環状ホルダ（２）の中心軸（Ｂ）に対して、異なる角度位置に配置されることを特徴とする、請求項９に記載の廃棄物貯蔵装置（１）。
【請求項１１】
前記角度位置同士の角度は略同じであることを特徴とする、請求項１０に記載の廃棄物貯蔵装置（１）。
【請求項１２】
前記環状ホルダ（２）の中央開口部を開閉するようになされた蓋（１０）を備えることを特徴とする、請求項８から１１のいずれか１項に記載の廃棄物貯蔵装置（１）。
【請求項１３】
第一の結束装置または第一の一体型の結束／切断装置（４）と対応する第一の取付位置（Ａ１）は、前記蓋（１０）のヒンジの向かい側に設けられ、且つ第二および第三の結束装置または第二および第三の一体型の結束／切断装置（４）それぞれと対応する第二および第三の取付位置（Ａ２、Ａ３）は、前記廃棄物貯蔵装置の左側および右側にそれぞれ設けられることを特徴とする、請求項１２に記載の廃棄物貯蔵装置（１）。
【請求項１４】
基部（１３）と、前記基部（１３）から突出する支柱（１４）と、取付位置（Ｃ）において前記支柱（１４）に取り付けられる前記環状ホルダ（２）と、前記環状ホルダ（２）に取り付けられる前記結束装置または前記一体型の結束／切断装置（４）と、を備えることを特徴とする、請求項８から１３のいずれか１項に記載の廃棄物貯蔵装置（１）。
【請求項１５】
前記環状ホルダ（２）の下に配置される箱を備えることを特徴とする、請求項８から１４のいずれか１項に記載の廃棄物貯蔵装置（１）。
【請求項１６】
前記カセット（３）が、前記環状ホルダ（２）の前記中心軸（Ｂ）を中心として、且つ、前記結束装置または前記一体型の結束／切断装置（４）のそれぞれの前記取付位置（Ａ１〜Ａ３）と連動して、回転することを特徴とする、請求項８から１５のいずれか１項に記載の廃棄物貯蔵装置（１）。
【請求項１７】
前記蓋（１０）、および、前記環状ホルダ（２）または前記カセット（３）に結合される歯車を備えることを特徴とする、請求項１６に記載の廃棄物貯蔵装置（１）。
【発明の詳細な説明】
【技術分野】
【０００１】
本発明は、紐状または筒状のアイテムを結ぶ際に該アイテムを保持する結束装置であって、切込み部（slit）が間に設けられた二つのピン状部分を有する結束装置に関する。さらに、本発明は、筒状ビニール（plastic hose）を有するカセット用の環状ホルダを備え、上記の結束装置を少なくとも一つ備える、廃棄物貯蔵装置（waste deposition device）に関する。
【背景技術】
【０００２】
多くのユーザにとって片手で結び目を自然に作ることは、殆ど不可能である。紐状または筒状のアイテムに結び目を作るためには、多くのユーザは両手を使わざるを得ない。通常これは大きな問題ではないが、このような制約が非常に望ましくない状況もある。その状況の一つに、一方の手で泣く乳幼児を抱えながら、他方の手で使用済おむつが廃棄された筒状ビニールに結び目を作ろうとする場合がある。多くのユーザはこのような状況に迅速に対処することができないため、しばらくの間廃棄物貯蔵装置から望ましくない臭いが漏れ続け、多くのユーザにとって非常に不快な状況となる。
【０００３】
一般的に、上述の種類の廃棄物貯蔵装置は公知であり、全ての種類の廃棄物の処理、特に、乳幼児用および／または成人用おむつ、および／または他の個人的な廃棄物の処理のために使用される。筒状ビニール（hose）内に望ましくない臭いを閉じ込めておくために、筒状ビニールには廃棄物が処理された後に結び目が作られる。さらに、筒状ビニールは刃を用いて切断されてもよい。
【０００４】
これに関して、米国特許出願公開第２０１３／００６７８５７Ａ１号は、二つの切込み部を有し、いずれか一方の切込み部に配置された刃を持つホルダを備える、廃棄物バスケット（waste basket）を開示している。第一の切込み部は、バスケット内に配置された袋を保持するために設けられている。刃を含む第二の切込み部は、廃棄物が貯蔵される筒状ビニールを切断するために設けられている。
【０００５】
英国特許第１５２９１１１Ａ号は、筒状ビニールを切断する刃を有する別の廃棄物貯蔵装置を開示している。
【発明の概要】
【発明が解決しようとする課題】
【０００６】
したがって本発明は、結束装置を提供することを目的とする。特に、片手で筒状ビニールの様な紐状または筒状のアイテムに、結び目を作ることが可能でなくてはならない。さらに本発明は、改善された廃棄物貯蔵装置を提供することを目的とする。
【課題を解決するための手段】
【０００７】
本発明の目的は、切込み部が間に設けられた二つのピン状部分を有する、冒頭段落で説明した結束装置によって達成される。
【０００８】
さらに、本発明の目的は、筒状ビニールを有するカセット用の環状ホルダ、および、上述の結束装置を少なくとも一つ備える廃棄物貯蔵装置によって達成される。
【０００９】
これらの手段により、紐状または筒状のアイテム（例えば、筒状ビニール）を簡単に結ぶことができる。結び目を作るためには、紐状または筒状のアイテムは、二つのピンの周りに巻かれ、該ピンの間を経由して、形成されたループの中に通される。この動作は、片手で簡単に実施可能となる。したがって、提案された結束装置により、多くのユーザは初使用時から片手だけで紐状または筒状のアイテムを結ぶことができるようになる。対照的に、通常結び目を作るには、二本の空いている手が必要である。特に提案された結束装置は、廃棄物貯蔵装置と組み合わされると有用である。このようにして廃棄物貯蔵装置によって、例えば、一方の手で乳幼児を抱えながら、他方の手で使用済みおむつを廃棄して筒状ビニールに結び目を作ることが可能となる。
【００１０】
さらなる有利な実施形態は、添付の請求項、ならびに図面に記載されている。
【００１１】
二つのピン状部分の軸間の距離が、二つのピン状部分の端部に向かって増加し、且つ、二つのピン状部分の開口部の領域において、測定される軸間の角度が６０°以下であると、有利である。つまり、二つのピン状部分の端部は基本的に同じ方向（反対の方向でない）を向いている。このような手段により、紐状または筒状のアイテムのループは、結び目が作られる間、結束装置に良好に保持され、且つ紐状または筒状のアイテムに作られた結び目は簡単に結束装置から抜けられる。角度が大きければ大きい程、意図せずに結び目が抜け落ちるリスクが低くなる。しかしながら、角度が６０°を超えると、結び目が結束装置内で詰まる場合もある。
【００１２】
さらに、二つのピン状部分の軸が略平行であって、且つ二つのピン状部分の端部が基本的に同じ方向（反対の方向でない）を向いていると、有利である。本文脈における「略平行」とは、特に、二つのピン状部分の軸間の角度が１０°以下であることを意味している。すなわち、二つのピン状部分の軸間の距離は、二つのピン状部分の端部に向かって実質的に増加せず、二つのピン状部分の開口部の領域において、測定される軸間の角度は１０°以下である。このため、紐状または筒状のアイテムの結び目はより簡単に結束装置から抜けられる。
【００１３】
切込み部がＶ字形状を有し、二つのピン状部分の端部に向かって広がっていることも有利である。このため、紐状または筒状のアイテムは、形成されたループの中に簡単に通すことが可能となる。しかしながら、切込み部は、平行壁によって境界が付けられてもよい。
【００１４】
切込み部に刃が配置されていることも有利である。これにより、紐状または筒状のアイテムは簡単に切断可能となる。刃が設けられることで、一体型の結束／切断装置が提供される。
【００１５】
さらに別の有利な実施形態では、ピン状部分の自由端部から少し離れた位置にストッパが配置されている。特に、ストッパは、切込み部の端部に、または切込み部の端部の手前に配置されている。これらの手段により、ピンの間および紐状または筒状のアイテムのループの中を通される紐状または筒状のアイテムの誘導を妨げる、結束装置の切込み部以外の部分への紐状または筒状のアイテムの望ましくない滑りが回避される。
【００１６】
さらに別の有利な実施形態では、結束装置は、ピン状部分上およびそれに沿って設けられた窪みを備えている。これにより、結び目を作る人は、二つのピンの周りに巻かれた紐状または筒状のアイテムによって形成されたループの中に、指、特に親指を、簡単に入れることができる。したがって、紐状または筒状のアイテムの自由端部をループの中に通すことで、結び目がさらに簡単に完成される。
【００１７】
さらに別の実施形態では、廃棄物貯蔵装置は、
ａ）  少なくとも一つの結束装置または少なくとも一つの一体型の結束／切断装置を任意に、特に、着脱可能に取り付けられる複数の取付位置、または、
ｂ）  廃棄物貯蔵装置の恒久的な部分であり、異なる位置に配置される、複数の結束装置または複数の一体型の結束／切断装置、を備えている。これらの手段により、廃棄物貯蔵装置は、廃棄物貯蔵装置の設置方法、または設置場所に関わらず、左利きおよび右利きのユーザによって快適に使用され得る。廃棄物貯蔵装置は、筒状ビニールに結び目を作る際に筒状ビニールを保持する結束装置を任意に、特に、着脱可能に取り付けるための複数の取付位置を備えている（実施例ａ）。同様にして、取付位置は、筒状ビニールを切断するための切断装置または一体型の結束／切断装置を任意に、特に、着脱可能に取り付けるために使用されてもよい。複数の結束装置または一体型の結束／切断装置が取付位置に取り付けられてもよく、例えば、二つの結束装置または一体型の結束／切断装置が三つの取付位置のうちの二つに取り付けられ得ることに留意されたい。代替的には、上述の機能を有する複数の結束装置または一体型の結束／切断装置は、廃棄物貯蔵装置の恒久的な部分となり得る。
【００１８】
結束装置または一体型の結束／切断装置のそれぞれの取付位置が、環状ホルダの中心軸に対して、異なる角度位置に配置されていることが有益である。特に、前述の（異なる）角度位置同士の角度は略同じである。したがって、廃棄物貯蔵装置は、左利きのユーザおよび右利きのユーザそれぞれによって快適に使用され得る。さらに、結束装置または一体型の結束／切断装置は、廃棄物貯蔵装置が隅にまたは壁の窪みに設置された場合でも使用可能となる。本文脈における「略」とは、上述の角度間の差が１０°以下であることを意味している。
【００１９】
別の有益な実施形態では、廃棄物貯蔵装置は、環状ホルダの中央開口部を開閉するようになされた蓋を備えている。そのため、筒状ビニールの結び目が気密でなくても装置内に臭いが閉じ込められる。
【００２０】
上記において、第一の結束装置または一体型の結束／切断装置に対応する第一の取付位置が、蓋のヒンジの向かい側に配置され、第二および第三の結束装置または一体型の結束／切断装置に対応する第二および第三の取付位置が、（廃棄物貯蔵装置の）左側および右側にそれぞれ配置されていることが有益である。これらの位置により、多くのユーザは、廃棄物貯蔵装置を快適に使用することができる。
【００２１】
環状ホルダの中心軸に対して垂直な横断面における廃棄物貯蔵装置の外周は、略長方形であることが有益である。これにより、廃棄物貯蔵装置は、隅または窪みへ省スペースに設置可能となる。ともあれ、該断面は楕円形または円形であってもよい。
【００２２】
有益な実施形態では、廃棄物貯蔵装置は、基部から突出した支柱と、支柱に取り付けられた環状ホルダと、環状ホルダに取り付けられた（少なくとも一つの）結束／切断装置とを備えている。そのため、廃棄物貯蔵装置は、独立型の装置として使用されてもよい。代替的に、またはさらに、廃棄物貯蔵装置は他の構造、例えば、ベビーベッドの柵、または他の家具に廃棄物貯蔵装置を取り付けるための少なくとも一つの装置ホルダを備えてもよい。
【００２３】
さらに有益な実施形態では、廃棄物貯蔵装置は、環状ホルダの下に配置された箱を備えている。したがって、筒状ビニールに入れられた廃棄物は専用のスペースに貯蔵される。
【００２４】
筒状ビニールを有するカセットが、環状ホルダの中心軸に対して、且つ、対応する結束装置または一体型の結束／切断装置の取付位置と連動して、回転可能であることが有利である。このようにして、筒状ビニールは、廃棄物が処理された後に簡単な方法で捻られ得ることができる。
【００２５】
廃棄物貯蔵装置が、蓋、および、環状ホルダまたはカセットに結合された歯車を備えていることが、さらに有利である。これにより、蓋が開けられ、および／または閉じられると、自動的にカセットが回転し、筒状ビニールが捻られる。
【００２６】
本発明をより良く理解するために、本発明の実施形態を示す図面を以下に提示する。図面は、概略的に示されている。
【図面の簡単な説明】
【００２７】
【図１】図１は、右前側から見た例示的な廃棄物貯蔵装置の斜視図である。
【図２】図２は、左前側から見た図１の廃棄物貯蔵装置の斜視図である。
【図３】図３は、底側から見た図１の廃棄物貯蔵装置の斜視図である。
【図４】図４は、上側から見た例示的な結束装置の詳細な斜視図である。
【図５】図５は、図４の結束装置の正面図である。
【図６】図６は、基部および支柱を有する例示的な廃棄物貯蔵装置の側面図である。
【発明を実施するための形態】
【００２８】
全体として、同一の部分または同様の部分は、同一／同様の名称および符号で示されている。明細書に開示される機能は、同一／同様の名称および符号がそれぞれ示す部分に適用されている。方向および相対位置（上、下、横など）は、関連する図面に対応して示されており、示された方向および／または相対位置は、状況に応じて異なる図面において補正する必要がある。
【００２９】
図１から図３は、異なる方向から見た廃棄物貯蔵装置１を示している。図１は、右前側から見た斜視図、図２は左前側から見た図、および、図３は底側から見た図である。廃棄物貯蔵装置１は、筒状ビニールを有するカセット３用の環状ホルダ２と、筒状ビニールを結ぶ際に筒状ビニールを保持する一体型の結束／切断装置４とを備えている。
【００３０】
図４および図５は、結束／切断装置４を詳細に示している。図４は、上側から見た斜視図であって、図５は正面図である。結束／切断装置４は、切込み部７が間に設けられた二つのピン状部分５、６を備えている。この手段により、簡単に筒状ビニールに結び目を作ることができる。このため、筒状ビニールは、二つのピン状部分５、６の周りに巻かれ、ピン状部分５、６の間を経由して、形成された筒状ビニールのループの中に通される（図４が示している移動路を参照のこと）。最終的な下方向への動きにより、結び目が完成されるだけでなく、完成された結び目が結束／切断装置４から抜けられる。
【００３１】
この動作は、片手で簡単に実施され得る。対照的に、通常結び目を作るには、二本の空いている手が必要である。廃棄物貯蔵装置１によって、例えば、一方の手で乳幼児を抱えながら、他方の手で使用済みおむつを廃棄して筒状ビニールに結び目を作ることが可能となる。当然のことながら、図４が示している左側から開始される移動路は例示的に過ぎず、移動は他の方向、例えば、前側、右側、後側、または、それらの間の別の方向から開始されてもよい。
【００３２】
図示された実施例では、二つのピン状部分５、６の軸は略平行であって、且つ二つのピン状部分５、６の端部は基本的に同じ方向（反対の方向でない）を向いている。図４では、両端部は、下方向を向いている（下方向と上方向ではない）。本文脈における「略平行」とは、特に、二つのピン状部分の軸間の角度αが１０°以下であることを意味している。このため、結び目を作るためのループは、結び目が作られている間、結束／切断装置４によって良好に保持され、筒状ビニールの結び目は非常に簡単に結束／切断装置４から抜かれ得る。しかしながら、二つのピン状部分５、６の軸間の角度αは、最大６０°であってもよい（二つのピン状部分５、６の「方向」を示している、図４の右側を参照のこと）。この場合、筒状ビニールのループは、結び目が作られている間、結束／切断装置４によってより良好に保持される。角度が大きければ大きい程、意図せずに結び目が結束／切断装置４から抜け落ちるリスクが低くなる。しかしながら、角度が６０°を超えると、結び目が結束／切断装置４内で詰まる場合もある。
【００３３】
本実施例では、切込み部７はＶ字形状を有し、二つのピン状部分５、６の端部に向かって広がっている。これにより、筒状ビニールはループの中に簡単に通され得る。しかしながら、切込み部７は、平行壁によって境界が付けられてもよい。
【００３４】
さらに本実施例では、結束／切断装置４は、切込み部７に配置される刃８を備えている。これにより、筒状ビニールは簡単に切断され得る。さらに、結束／切断装置４は、ピン状部分５、６の自由端部から少し離れた位置に設けられた、任意のストッパ９を備えてもよい。特に、ストッパ９は、切込み部７の端部にまたは切込み部７の端部の手前に配置されている。これらの手段により、ピン状部分５、６の周りに筒状ビニールを巻く際、特に、上方移動の際に、結束／切断装置４の切込み部以外の部分への筒状ビニールの望ましくない滑りが回避される。このような望ましくない滑りが生ずると、ピン状部分５、６の間からループの中を通される筒状ビニールは、誘導が妨げられる。当然のことながら、ストッパ９は、ピン状部分５、６の両方に配置されてもよい。
【００３５】
図示された実施例では、結束／切断装置４は、ピン状部分５、６上、およびそれらに沿って設けられた窪み１２を備えている。この手段により、結び目を作る人は、二つのピン状部分５、６の周りに巻かれた筒状ビニールによって形成されたループの中に指、特に、親指を簡単に入れることができる。したがって、筒状ビニールの自由端部をループの中に通すことで、結び目がさらに簡単に完成される。
【００３６】
図示された実施例では、結束／切断装置４は、廃棄物貯蔵装置１の筒状ビニールに関連して明示されている。しかしながら、結束／切断装置４は、廃棄物貯蔵装置１を用いずに使用されてもよく、他の紐状または筒状のアイテムに結び目を作るために同等に使用され得ることに留意されたい。
【００３７】
刃８が任意であることに留意されたい。刃８が設けられていない場合、図示された装置４は、単なる結束装置である。当然のことながら、廃棄物貯蔵装置１は、結束機能および切断機能を提供するために、複数の個別の結束装置および切断装置を備えてもよい。
【００３８】
図面と関連する技術的教示は、結束装置および一体型の結束／切断装置４に同等に適用される。そのため、特に、以下の取付位置Ａ１〜Ａ３に関連する明示は、結束装置および一体型の結束／切断装置４に同等に適用されている。
【００３９】
図１から図３に示す実施例では、廃棄物貯蔵装置１は、結束／切断装置４を任意に、特に、着脱可能に取り付けるための複数の取付位置Ａ１〜Ａ３を備えている（実施例ａ）。複数の結束／切断装置４が取付位置Ａ１〜Ａ３に取り付けられ得ること、例えば、二つの結束／切断装置４が三つの取付位置Ａ１〜Ａ３のうちの二つに取り付けられ得ることに留意されたい。代替的には、筒状ビニールを結ぶ際に該筒状ビニールを保持し、該筒状ビニールを切断する複数の結束／切断装置４は、廃棄物貯蔵装置１の恒久的な部分となり得る。
【００４０】
図１から図３に示す実施例では、取付位置Ａ１〜Ａ３は、環状ホルダ２の中心軸Ｂに対して、異なる角度位置に配置されている。具体的には、第一の取付位置Ａ１は、環状ホルダ２の中心開口部を開閉し、筒状ビニールの結び目が気密でなくても廃棄物貯蔵装置１内の臭いを、対応する筒状ビニール内に閉じ込められるようになされて、任意の蓋１０のヒンジの向かい側に配置されている。第二および第三の取付位置Ａ２、Ａ３は、装置の左側と右側にそれぞれ配置されている。したがって、廃棄物貯蔵装置１は、左利きおよび右利きそれぞれのユーザによって快適に使用可能となる。さらに、結束／切断装置４は、廃棄物貯蔵装置１が隅にまたは窪みに設置された場合でも使用可能となる。
【００４１】
加えて、廃棄物貯蔵装置１は、支柱用の取付位置Ｃを備えている（図６）。
【００４２】
さらに、廃棄物貯蔵装置（waste storage device）１は、他の構造、例えば、ベビーベッドの柵または他の家具に廃棄物貯蔵装置１を取り付けるための一つの任意の装置ホルダ１１、または複数の任意の装置ホルダ１１を備えている。
【００４３】
上述の実施形態では、上述の（異なる）角度位置同士の角度は異なっている。しかしながら、他の実施形態では、上述の角度位置同士の角度は略同じでもよい。本文脈における「略」とは、上述の角度間の差が１０°以下であることを意味している。
【００４４】
さらに、図１から図３に示す実施形態のように、環状ホルダ２の中心軸Ｂに対して垂直な横断面における廃棄物貯蔵装置１の外周は、略長方形であることが有益である。これにより、廃棄物貯蔵装置１は、隅または窪みに省スペースに設置可能となる。しかしながら、他の実施形態では、該断面は楕円形または円形であってもよい。図示された実施例ではカセット（cartridge）３は円形であるが、カセット３は楕円形であってもよいことに留意されたい。
【００４５】
図６は、結束／切断装置４が第三の取付位置Ａ３において環状ホルダ２に取り付けられた廃棄物貯蔵装置１の例示的な実施形態を示している。廃棄物貯蔵装置１は、さらに、基部１３および、基部１３から突出する支柱１４を備えている。環状ホルダ２は、取付位置Ｃにおいて支柱１４に取り付けられている。そのため、廃棄物貯蔵装置１は、独立型の装置として使用されてもよい。代替的に、またはさらに、廃棄物貯蔵装置１は他の構造、例えば、ベビーベッドの柵、または他の家具に廃棄物貯蔵装置１を取り付けるための、一つの任意の装置ホルダ１１または複数の任意の装置ホルダ１１を備えてもよい。さらに代替的には、廃棄物貯蔵装置１は、環状ホルダ２の下に配置される箱を備えてもよい。そのため、筒状ビニール中の廃棄物は、専用のスペースに貯蔵される。図６では、廃棄物貯蔵装置１をすぐ使用できるよう、カセット３に筒状ビニール１５が配置されている。
【００４６】
概してカセット３および／または環状ホルダ２は、環状ホルダ２の中心軸Ｂに対して、且つ、対応する結束／切断装置４の取付位置Ａ１〜Ａ３と連動して、回転可能であってもよい。このようにして、筒状ビニール１５は、廃棄物が処理された後に簡単な方法で捻られ得る。この状況においては、廃棄物貯蔵装置１は、蓋１０が開けられ、および／または閉じられると、自動的にカセット３が回転し、筒状ビニール１５が捻られるよう、蓋１０、および、環状ホルダ２またはカセット３に結合される歯車を有してもよい。
【００４７】
概して結束／切断装置４は、着脱可能となっている場合、スナップ式接続または摩擦接続を用いて、環状ホルダ２に取り付けられてもよい。しかしながら、結束／切断装置４は、例えば、接着剤を用いて、環状ホルダ２に恒久的に取り付けられてもよい。同様に、支柱１４は、スナップ式接続或いは摩擦接続を用いて、または、接着剤を用いて環状ホルダ２に取り付けられてもよい。全体として、取付位置Ａ１〜Ａ３、およびＣは、「受容位置」と呼ばれてもよい。
【００４８】
本発明は、上述した実施形態に制限されず、異なる実施形態の組み合わせが可能であることに留意されたい。実際に、廃棄物貯蔵装置１は、図示された部品より多くのまたは少ない部品を有してもよい。廃棄物貯蔵装置１およびその部品は、原寸と異なって示され、図示された尺度よりも大きくてもまたは小さくてもよい。最後に、本説明は、さらに独立した発明の技術的内容を含んでもよい。
【符号の説明】
【００４９】
１    廃棄物貯蔵装置
２    環状ホルダ
３    カセット
４    結束／切断装置
５    第一のピン状部分
６    第二のピン状部分
７    切込み部
８    刃
９    ストッパ
１０    蓋
１１    装置ホルダ
１２    窪み
１３    基部
１４    支柱
１５    筒状ビニール（全体として、紐状または筒状のアイテム）
Ａ１〜Ａ３    結束／切断装置の取付位置
Ｂ    環状ホルダの中心軸
Ｃ    支柱の取付位置
【図１】
2017190246.tif 000003
【図２】
2017190246.tif 000004
【図３】
2017190246.tif 000005
【図４】
2017190246.tif 000006
【図５】
2017190246.tif 000007
【図６】
2017190246.tif 000008
【外国語明細書】
2017190246.tif 000009
2017190246.tif 000010
2017190246.tif 000011
2017190246.tif 000012
2017190246.tif 000013
2017190246.tif 000014
2017190246.tif 000015
2017190246.tif 000016
2017190246.tif 000017
2017190246.tif 000018
2017190246.tif 000019
2017190246.tif 000020
2017190246.tif 000021
2017190246.tif 000022
2017190246.tif 000023
【図１】
2017190246.tif 000024
【図２】
2017190246.tif 000025
【図３】
2017190246.tif 000026
【図４】
2017190246.tif 000027
【図５】
2017190246.tif 000028
【図６】
2017190246.tif 000029